(57)【要約】  一実施形態に係るカニューレは、側面と、球面状の鈍端と、鈍端から側面上の予め定められた位置にわたって長手方向に延びる開口とを備える。
2019244355.tif 000002
【特許請求の範囲】
【請求項１】
側面と、
球面状の鈍端と、
前記鈍端から前記側面上の予め定められた位置にわたって長手方向に延びる開口と
を備えるカニューレ。
【請求項２】
前記鈍端が１／４球面状である、
請求項１に記載のカニューレ。
【請求項３】
前記開口の縁の少なくとも一部が曲線状である、
請求項１または２に記載のカニューレ。
【請求項４】
前記開口の縁の少なくとも一部が直線状である、
請求項１〜３のいずれか一項に記載のカニューレ。
【請求項５】
前記開口の縁が、前記鈍端から前記予め定められた位置に向かって前記長手方向に沿って延びる直線状の部分を含む、
請求項１〜４のいずれか一項に記載のカニューレ。
【請求項６】
前記開口の縁が、前記予め定められた位置から前記鈍端に向かって延びる弧状の部分を含む、
請求項５に記載のカニューレ。
【請求項７】
前記弧状の部分が、前記鈍端の反対側に位置する基端に向かって凹むように形成された、
請求項６に記載のカニューレ。
【発明の詳細な説明】
【技術分野】
【０００１】
本発明の一側面はカニューレに関する。
【背景技術】
【０００２】
医療器具の一種であるカニューレが知られている。例えば特許文献１には、流体輸送用の少なくとも１つのチャネル及び係合手段を有するコア針と、該コア針を係合させるスリーブとで構成されるカニューレが記載されている。
【先行技術文献】
【特許文献】
【０００３】
【特許文献１】特表２０１４−５２６２８６号公報
【発明の概要】
【発明が解決しようとする課題】
【０００４】
カニューレの径を必要に応じてある程度大きくしなければならないことがあるが、その径を大きくすると、体内でカニューレを進める際に掛かる抵抗が大きくなる。そこで、その抵抗を抑えることが望まれている。
【課題を解決するための手段】
【０００５】
本発明の一側面に係るカニューレは、側面と、球面状の鈍端と、鈍端から側面上の予め定められた位置にわたって長手方向に延びる開口とを備える。【０００６】
このような側面においては、カニューレの先端が球面状に形成され、その鈍端から側面に沿って開口が形成されるので、カニューレの先端側は流線形のような形を取る。この形状により、体内でカニューレを進める際に掛かる抵抗を抑えることができる。
【発明の効果】
【０００７】
本発明の一側面によれば、体内でカニューレを進める際に掛かる抵抗を抑えることができる。
【図面の簡単な説明】
【０００８】
【図１】実施形態に係るカニューレの斜視図である。
【図２】実施形態に係るカニューレの先端の拡大斜視図である。
【図３】実施形態に係るカニューレの先端の拡大側面図である。
【発明を実施するための形態】
【０００９】
以下、添付図面を参照しながら本発明の実施形態を詳細に説明する。なお、図面の説明において同一または同等の要素には同一の符号を付し、重複する説明を省略する。
【００１０】
［カニューレの構成］
図１〜図３を参照しながら、実施形態に係るカニューレ１０の構成を説明する。図１はカニューレ１０の斜視図である。図２はカニューレ１０の先端の拡大斜視図である。図３はカニューレ１０の先端の拡大側面図である。
【００１１】
カニューレ１０は、体内に挿入される細長い管である。カニューレ１０を適用する対象は限定されず、例えば人でも動物でもよい。カニューレ１０の利用目的も限定されず、例えば、任意の手術、治療、診断等の医療行為のために用いられてもよい。カニューレ１０の機能も限定されず、例えば、体内への活性成分の投与、体液の排出などでもよい。カニューレ１０の具体的な利用例として関節腔内注入および髄液採取が挙げられるが、これらに限定されない。カニューレ１０は予め定められた時間（例えば、６時間、１０時間、１２時間、２４時間）の間だけ皮内留置されてもよい。
【００１２】
カニューレ１０は、体内に挿入される鈍端（先端）１１と、その鈍端１１とは反対側の端部である基端１２と、鈍端１１および基端１２をつなぐ側面１３とを備える。鈍端とは、外面が尖らないように加工された端部のことをいう。鈍端１１は球面状に形成されてもよい。「球面状」とは、鈍端１１の外面が、球のように丸みを帯びた状態であることを意味する。したがって、「球面状」という用語は、完全な球面のみを意味するものではなく、球に近い三次元形状の面（例えば、球に近くなるように面取りされた形状）を含む概念を意味することに留意されたい。したがって、「球面状の鈍端」とは、外面が球面かまたは球面に近い形状に形成されるように加工された端部のことをいう。
【００１３】
例えば、鈍端１１は１／４球面状に形成されてもよい。「１／４球面状」とは、鈍端１１の外面が、球を４等分することで得られる一つの三次元形状（これを「１／４球」という）の外面、または該１／４球に近い形状の外面のような状態であることを意味する。「球面状」という用語と同様に、「１／４球面状」という用語も、完全な球面に拘束されるものではなく、球に近い三次元形状の面（例えば、球に近くなるように面取りされた形状）を含む概念を意味することに留意されたい。したがって、「１／４球面状の鈍端」とは、外面が１／４球面かまたは１／４球面に近い形状に形成されるように加工された端部のことをいう。
【００１４】
カニューレ１０の鈍端１１側には、カニューレ１０の長手方向に延びる小さな開口１４が形成される。この開口１４はカニューレ１０の管路と連通しており、その管路から供給される物質をカニューレ１０の外に放出するための流出口として機能するか、または、カニューレ１０の外の物質を管路に案内するための流入口として機能する。この開口１４は、鈍端１１から側面１３上の予め定められた位置（以下ではこれを「指定位置」という）１５にわたって形成される。
【００１５】
開口１４の縁１６の形状は限定されない。例えば、縁１６の少なくとも一部は曲線状を呈してもよく、例えば、弧状（円弧のような形）であってもよい。あるいは、縁１６の少なくとも一部は直線状（真っ直ぐに延びるような形）を呈してもよい。縁１６は、曲線状（例えば弧状）の部分と直線状の部分との組合せにより形成されてもよい。
【００１６】
図２および図３を参照しながら開口１４の一例を説明する。開口１４の縁１６は、鈍端１１から指定位置１５に向かって長手方向に沿って延びる直線状の第１部分１６ａと、指定位置１５から鈍端１１に向かって延びる弧状の第２部分１６ｂとを含む。第２部分１６ｂは基端１２に向かって凹むように形成されている。
【００１７】
図２および図３の例に代えて様々な態様が考えられる。例えば、縁１６の全体が、曲線状（例えば弧状）を呈してもよいし、直線状を呈してもよい。あるいは、縁１６は、鈍端１１から指定位置１５に向かって長手方向に沿って延びる弧状の第１部分と、指定位置１５から鈍端１１に向かって延びる直線状の第２部分とを含んでもよい。縁１６が弧状の部分を含む場合に、その弧は、基端１２に向かって凹むように形成されてもよいし、基端１２から離れる方向に向かって凸になるように形成されてもよい。
【００１８】
基端１２にはコネクタ２０が設けられる。このコネクタ２０は、カニューレ１０と他の器具または装置（例えば、注射筒、導管など）とを接続するための部品である。例えば、コネクタ２０はポリプロピレンなどの樹脂で形成されてもよい。基端１２に取り付けられる構成はコネクタ２０に限定されず、他の構成が採用されてもよい。
【００１９】
カニューレ１０の側面には目盛１７が設けられる。この目盛１７は、例えば、体内に入ったカニューレ１０の長さを作業者が把握することを目的として設けられる。しかし、この目盛１７は必須の構成要素ではなく、省略されてもよい。
【００２０】
本実施形態では、開口１４の縁１６のうち、鈍端１１に近い幅広の部分に、隆起１８が存在する。この隆起１８は意図的に設計されたものであってもよいし、カニューレ１０を製造する際に生じた誤差であってもよい。この隆起１８はカニューレ１０の必須の構成要素ではなく、省略されてよい。この隆起１８が存在しても、カニューレ１０の先端は鈍端（外面が尖らないように加工された端部）である。隆起１８は鈍端１１の形状に影響しない。したがって、隆起１８が存在しても、鈍端１１が球面状（例えば１／４球面状）に形成されてよいことに変わりはない。
【００２１】
カニューレ１０の寸法は何ら限定されないが、例えば以下のように設定されてもよい。カニューレ１０の長さは例えば１５ｍｍ〜１００ｍｍの間の任意の値であってもよく、例えば、１５ｍｍ〜２０ｍｍ、３０ｍｍ〜３５ｍｍ、４５ｍｍ〜５０ｍｍ、５５ｍｍ〜６０ｍｍ、６５ｍｍ〜７０ｍｍ、または９５ｍｍ〜１００ｍｍの間に設定されてもよい。目盛１７の位置は限定されず、例えば鈍端１１から１０ｍｍ毎に設けられてもよい。カニューレ１０の外径は例えば０．１５ｍｍ〜１ｍｍの間の任意の値であってもよく、例えば、０．１８ｍｍ、０．２ｍｍ、０．３ｍｍ、０．４ｍｍ、０．５ｍｍ、０．６５ｍｍ、０．８ｍｍ、または０．９ｍｍでもよい。カニューレ１０の内径は例えば０．１ｍｍ〜０．９ｍｍの間の任意の値であってもよく、例えば、０．１ｍｍ、０．１５ｍｍ、０．２ｍｍ、０．２５ｍｍ、０．３ｍｍ、０．４ｍｍ、０．５５ｍｍ、０．７ｍｍ、または０．８ｍｍであってもよい。
【００２２】
鈍端１１の曲率半径は０．０８ｍｍ〜０．５ｍｍであってもよく、例えば、０．０９ｍｍ、０．１ｍｍ、０．１５ｍｍ、０．２ｍｍ、０．２５ｍｍ、０．３ｍｍ、０．３５ｍｍ、０．３７５ｍｍ、０．４ｍｍ、または０．４５ｍｍでもよい。長手方向における開口１４の長さ（より具体的には、鈍端１１から指定位置１５までの距離）は０．４ｍｍ〜５ｍｍであってもよく、例えば、０．５ｍｍ、１ｍｍ、１．５ｍｍ、２ｍｍ、２．５ｍｍ、３．５ｍｍ、または４ｍｍでもよい。縁１６の第２部分１６ｂの曲率半径は０．１ｍｍ〜０．５ｍｍでもよく、例えば、０．２ｍｍ、０．３ｍｍ、０．４ｍｍでもよい。
【００２３】
カニューレ１０の製造に用いられる材料は限定されない。例えば、カニューレ１０は、ＳＵＳ３０４などのステンレス鋼で形成されてもよい。
【００２４】
［効果］
以上説明したように、本発明の一側面に係るカニューレは、側面と、球面状の鈍端と、鈍端から側面上の予め定められた位置にわたって長手方向に延びる開口とを備える。
【００２５】
このような側面においては、カニューレの先端が球面状に形成され、その鈍端から側面に沿って開口が形成されるので、カニューレの先端側は流線形のような形を取る。この形状により、体内でカニューレを進める際に掛かる抵抗を抑えることができる。
【００２６】
他の側面に係るカニューレでは、鈍端が１／４球面状であってもよい。カニューレの先端を１／４球面状にすることで、カニューレの先端に掛かる抵抗を小さくすることができる。
【００２７】
他の側面に係るカニューレでは、開口の縁の少なくとも一部が曲線状であってもよい。このように開口の縁を形成することで、その縁の付近に掛かる抵抗を抑えることができる。
【００２８】
他の側面に係るカニューレでは、開口の縁の少なくとも一部が直線状であってもよい。このように開口の縁を形成することで、その縁に掛かる抵抗を抑えることができる。
【００２９】
他の側面に係るカニューレでは、開口の縁が、鈍端から予め定められた位置に向かって長手方向に沿って延びる直線状の部分を含んでもよい。カニューレの進行方向とほぼ一致する該直線状の部分にはほとんど抵抗が発生しないので、体内でカニューレを進める際に掛かる抵抗を抑えることができる。
【００３０】
他の側面に係るカニューレでは、開口の縁が、予め定められた位置から鈍端に向かって延びる弧状の部分を含んでもよい。このように開口の縁を滑らかにすることで、その縁に掛かる抵抗を抑えることができる。
【００３１】
他の側面に係るカニューレでは、弧状の部分が、鈍端の反対側に位置する基端に向かって凹むように形成されてもよい。このように開口の縁を滑らかにすることで、その縁に掛かる抵抗を抑えることができる。
【００３２】
［変形例］
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００３３】
１０…カニューレ、１１…鈍端、１２…基端、１３…側面、１４…開口、１５…指定位置、１６…開口の縁、１６ａ…第１部分、１６ｂ…第２部分、１７…目盛、２０…コネクタ。
【図１】
2019244355.tif 000003
【図２】
2019244355.tif 000004
【図３】
2019244355.tif 000005
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
側面と、
１／４球面状の鈍端と、
前記鈍端から前記側面上の予め定められた位置にわたって長手方向に延びる開口と
を備えるカニューレ。
【請求項２】
前記開口の縁の少なくとも一部が曲線状である、
請求項１に記載のカニューレ。
【請求項３】
前記開口の縁の少なくとも一部が直線状である、
請求項１または２に記載のカニューレ。
【請求項４】
前記開口の縁が、前記鈍端から前記予め定められた位置に向かって前記長手方向に沿って延びる直線状の部分を含む、
請求項１〜３のいずれか一項に記載のカニューレ。
【請求項５】
前記開口の縁が、前記予め定められた位置から前記鈍端に向かって延びる弧状の部分を含む、
請求項４に記載のカニューレ。
【請求項６】
前記弧状の部分が、前記鈍端の反対側に位置する基端に向かって凹むように形成された、
請求項５に記載のカニューレ。
【国際調査報告】
2019244355.tif 000006
2019244355.tif 000007
2019244355.tif 000008